(57)【要約】      （修正有）【課題】シンプルな構成で、簡単に操作とメンテナンスができ、また、長めのロープを収納可能であり、同時に複数の物体を施錠できるだけでなく、本体サイズが小さいため、簡単に製造でき、持ち運びやすい可撓性施錠具を提供する。【解決手段】可撓性施錠具は、本体１３を含み、本体１３の中には収納チャンバ４４が設置され、収納チャンバ４４の中には糸巻輪４３が設置され、糸巻輪４３の外壁は上にロープ１１が巻き付いており、ロープ１１の外端には施錠ブロック１２が連結され、収納チャンバ４４の中にはロープ１１を収納する収納装置１００が設置され、収納チャンバ４４の左壁の中には施錠チャンバ４７が設置されている。【選択図】図１
2020180540.tif 000002
【特許請求の範囲】
【請求項１】
正面視で、本体を含み、前記本体の中には収納チャンバが設置され、前記収納チャンバの中には糸巻輪が設置され、前記糸巻輪の外壁は上にロープがが巻き付いており、前記ローラの外端には施錠ブロックが連結され、前記収納チャンバの中には前記ローラを収納する収納装置が設置され、前記収納チャンバの左壁の中には施錠チャンバが設置され、前記施錠チャンバの左右両側の内壁の中には解錠チャンバが設置され、前記解錠チャンバの中には前記施錠ブロックを施錠する施錠装置が設置され、前記解錠チャンバの中には前記施錠装置を解錠する解錠装置が設置され、前記収納チャンバの底壁の中には加速チャンバが設置され、前記加速チャンバの底壁の中には伝動チャンバが設置され、前記伝動チャンバの底壁の中には回転チャンバが設置され、前記伝動チャンバの中には動力装置が設置され、前記動力装置は前記伝動チャンバの中に設置されたロックコアを含み、前記ロックコアの外壁には前記伝動チャンバの中に位置した第一プーリが設置され、前記動力装置は前記解錠装置によって、前記施錠装置を連動させて滑らせ、施錠具を解錠することができることを特徴とする可撓性施錠具。
【請求項２】
前記施錠装置は前記解錠チャンバの頂壁の中に設置されたロック溝を含み、前記ロック溝の中には前記施錠ブロックと係着可能のロックブロックがスライド可能に設置され、前記ロックブロックと、前記ロック溝のうち前記施錠チャンバに離れた側の端壁との間には第一スプリングが弾性を持つように設置され、前記施錠チャンバの中には押さえ板がスライド可能に設置され、前記押さえ板と、前記施錠チャンバに近寄った側の端壁との間には第二スプリングが弾性を持つように設置され、
前記施錠装置は前記施錠ブロックの位置を固定できることを特徴とする請求項１に記載の可撓性施錠具。
【請求項３】
前記解錠装置は前記伝動チャンバの中において前記ロックコアの頂端と固定的に連結された主軸が設置され、前記伝動チャンバの頂壁の中にはベルトチャンバが設置され、前記ベルトチャンバの中には従軸が設置され、前記従軸と前記主軸とはヒンジで連結され、前記従軸のうち前記ベルトチャンバに近寄った端の外壁には主プーリが上下対称に設置され、前記ベルトチャンバの中には解錠軸が左右対称に設置され、前記解錠軸のうち前記ベルトチャンバに近寄った端には前記ベルトチャンバの中に位置する従プーリが設置され、前記従プーリと前記主プーリとの間には第一ベルトが伝動可能に設置され、前記解錠軸のうち前記解錠チャンバに近寄った端には前記解錠チャンバの中に位置する回転盤が設置され、前記回転盤の頂壁と前記ロックブロックとは連結棒によってヒンジで連結され、
前記解錠装置は施錠具のロック状態を解除できることを特徴とする請求項１に記載の可撓性施錠具。
【請求項４】
前記収納装置は、前記収納チャンバの中に設置され且つ前記糸巻輪と連結した収納軸を含み、前記収納軸の頂端には単方向冠歯車が設置され、前記加速チャンバの中には上軸が設置され、前記上軸の底端にはセントラルギアが設置され、前記上軸の頂端には前記収納チャンバの中に位置し且つ前記単方向冠歯車と噛み合った動力ギアが設置され、前記加速チャンバの中には下軸が設置され、前記下軸の頂端にはリングギアが設置され、前記リングギアと前記セントラルギアとの間には遊星ギアが伝動可能に設置され、前記下軸の底端には前記伝動チャンバの中に位置する第二プーリが設置され、前記第二プーリと前記第一プーリとの間には第二ベルトが伝動可能に設置され、前記ロックコアの外壁には前記回転チャンバの中に位置する回転可能の回転ブロックが設置され、前記回転ブロックの中には単方向チャンバが設置され、前記ロックコアの外壁には前記単方向チャンバの中に位置するつめ車が設置され、前記回転ブロックの内側壁の中には前記つめ車と当接したつめが三組設置され、前記回転ブロックの左端には回転棒がレンジで連結され、前記回転棒の上端はハンドルがレンジで連結され、
前記収納装置は伸びてきた前記ロープを再び前記糸巻輪に巻きつけられることを特徴とする請求項１に記載の可撓性施錠具。
【発明の詳細な説明】
【技術分野】
【０００１】
本発明は錠分野に関わるものであり、特に可撓性施錠具に関わるものである
【背景技術】
【０００２】
錠は生活において防盗や個人情報保護に欠かせない日用品であり、しかし、既存する施錠具は施錠範囲が施錠具のサイズによって制限され、また、施錠具は大きければ大きいほど、製造コストは上がるため、複数の物体に施錠することができない。よって、本発明では、一種の可撓性施錠具を提供する。
【先行技術文献】
【特許文献】
【０００３】
【特許文献１】中国特許出願公開第102605997号明細書
【発明の概要】
【発明が解決しようとする課題】
【０００４】
本発明は可撓性施錠具を提供し、既存技術にある上記の欠点を解消することを目的とする。
【課題を解決するための手段】
【０００５】
本発明の可撓性施錠具は、本体を含み、前記本体の中には収納チャンバが設置され、前記収納チャンバの中には糸巻輪が設置され、前記糸巻輪の外壁は上にロープがが巻き付いており、前記ローラの外端には施錠ブロックが連結され、前記収納チャンバの中には前記ローラを収納する収納装置が設置され、前記収納チャンバの左壁の中には施錠チャンバが設置され、前記施錠チャンバの左右両側の内壁の中には解錠チャンバが設置され、前記解錠チャンバの中には前記施錠ブロックを施錠する施錠装置が設置され、前記解錠チャンバの中には前記施錠装置を解錠する解錠装置が設置され、前記収納チャンバの底壁の中には加速チャンバが設置され、前記加速チャンバの底壁の中には伝動チャンバが設置され、前記伝動チャンバの底壁の中には回転チャンバが設置され、前記伝動チャンバの中には動力装置が設置され、前記動力装置は前記伝動チャンバの中に設置されたロックコアを含み、前記ロックコアの外壁には前記伝動チャンバの中に位置した第一プーリが設置され、前記動力装置は前記解錠装置によって、前記施錠装置を連動させて滑らせ、施錠具を解錠することができる。
【０００６】
好ましくは、前記施錠装置は前記解錠チャンバの頂壁の中に設置されたロック溝を含み、前記ロック溝の中には前記施錠ブロックと係着可能のロックブロックがスライド可能に設置され、前記ロックブロックと、前記ロック溝のうち前記施錠チャンバに離れた側の端壁との間には第一スプリングが弾性を持つように設置され、前記施錠チャンバの中には押さえ板がスライド可能に設置され、前記押さえ板と、前記施錠チャンバに近寄った側の端壁との間には第二スプリングが弾性を持つように設置され、
前記施錠装置は前記施錠ブロックの位置を固定できる。
【０００７】
好ましくは、前記解錠装置は前記伝動チャンバの中において前記ロックコアの頂端と固定的に連結された主軸が設置され、前記伝動チャンバの頂壁の中にはベルトチャンバが設置され、前記ベルトチャンバの中には従軸が設置され、前記従軸と前記主軸とはヒンジで連結され、前記従軸のうち前記ベルトチャンバに近寄った端の外壁には主プーリが上下対称に設置され、前記ベルトチャンバの中には解錠軸が左右対称に設置され、前記解錠軸のうち前記ベルトチャンバに近寄った端には前記ベルトチャンバの中に位置する従プーリが設置され、前記従プーリと前記主プーリとの間には第一ベルトが伝動可能に設置され、前記解錠軸のうち前記解錠チャンバに近寄った端には前記解錠チャンバの中に位置する回転盤が設置され、前記回転盤の頂壁と前記ロックブロックとは連結棒によってヒンジで連結され、
前記解錠装置は施錠具のロック状態を解除できる。
【０００８】
好ましくは、前記収納装置は、前記収納チャンバの中に設置され且つ前記糸巻輪と連結した収納軸を含み、前記収納軸の頂端には単方向冠歯車が設置され、前記加速チャンバの中には上軸が設置され、前記上軸の底端にはセントラルギアが設置され、前記上軸の頂端には前記収納チャンバの中に位置し且つ前記単方向冠歯車と噛み合った動力ギアが設置され、前記加速チャンバの中には下軸が設置され、前記下軸の頂端にはリングギアが設置され、前記リングギアと前記セントラルギアとの間には遊星ギアが伝動可能に設置され、前記下軸の底端には前記伝動チャンバの中に位置する第二プーリが設置され、前記第二プーリと前記第一プーリとの間には第二ベルトが伝動可能に設置され、前記ロックコアの外壁には前記回転チャンバの中に位置する回転可能の回転ブロックが設置され、前記回転ブロックの中には単方向チャンバが設置され、前記ロックコアの外壁には前記単方向チャンバの中に位置するつめ車が設置され、前記回転ブロックの内側壁の中には前記つめ車と当接したつめが三組設置され、前記回転ブロックの左端には回転棒がレンジで連結され、前記回転棒の上端はハンドルがレンジで連結され、
前記収納装置は伸びてきた前記ロープを再び前記糸巻輪に巻きつけられる。
【発明の効果】
【０００９】
本発明の有益的効果は：本発明はシンプルに構成し、簡単に操作とメンテナンスができ、また、当施錠具は長めのロープを収納可能であり、同時に複数の物体を施錠できるだけでなく、本体サイズが小さいため、簡単に製造でき、持ち運びやすいであり、よって、本発明には使用と普及する価値がある。
【図面の簡単な説明】
【００１０】
下記に図１〜３をあわせて本発明について詳しく説明し、また、便利に説明するために、下記の方向を以下のように規定する：図１は本発明装置の正面図であり、以下に述べる上下左右前後の方向と図１の自身投影関係の上下左右前後の方向とが一致である
【００１１】
【図１】図１は本発明の可撓性施錠具の施錠した状態の全体構成略図
【図２】図２は本発明の可撓性施錠具の解錠した状態の全体構成略図
【図３】図３は図１におけるＡ−Ａの構成略図
【発明を実施するための形態】
【００１２】
下記に図１〜３を交え、本発明について詳しく説明する。わかりやすく説明できるよう、ここで下記の方位に規定する：下記の上下左右前後方向は図本体の投影関係の上下左右前後の方向と一致する。
【００１３】
図１〜３を参照し、本発明の可撓性施錠具は、本体１３を含み、前記本体１３の中には収納チャンバ４４が設置され、前記収納チャンバ４４の中には糸巻輪４３が設置され、前記糸巻輪４３の外壁は上にロープが１１が巻き付いており、前記ローラ１１の外端には施錠ブロック１２が連結され、前記収納チャンバ４４の中には前記ローラ１１を収納する収納装置１００が設置され、前記収納チャンバ４４の左壁の中には施錠チャンバ４７が設置され、前記施錠チャンバ４７の左右両側の内壁の中には解錠チャンバ４６が設置され、前記解錠チャンバ４６の中には前記施錠ブロック１２を施錠する施錠装置２００が設置され、前記解錠チャンバ４６の中には前記施錠装置２００を解錠する解錠装置３００が設置され、前記収納チャンバ４４の底壁の中には加速チャンバ４８が設置され、前記加速チャンバ４８の底壁の中には伝動チャンバ３４が設置され、前記伝動チャンバ３４の底壁の中には回転チャンバ３０が設置され、前記伝動チャンバ３４の中には動力装置５００が設置され、前記動力装置５００は前記伝動チャンバ３４の中に設置されたロックコア２９を含み、前記ロックコア２９の外壁には前記伝動チャンバ３４の中に位置した第一プーリ３１が設置され、前記動力装置５００は前記解錠装置３００によって、前記施錠装置２００を連動させて滑らせ、施錠具を解錠することができる。
【００１４】
好ましくは、前記施錠装置２００は前記解錠チャンバ４６の頂壁の中に設置されたロック溝１５を含み、前記ロック溝１５の中には前記施錠ブロック１２と係着可能のロックブロック１４がスライド可能に設置され、前記ロックブロック１４と、前記ロック溝１５のうち前記施錠チャンバ４７に離れた側の端壁との間には第一スプリングが弾性を持つように設置され、前記施錠チャンバ４７の中には押さえ板４９がスライド可能に設置され、前記押さえ板４９と、前記施錠チャンバ４７に近寄った側の端壁との間には第二スプリング５０が弾性を持つように設置され、
前記施錠装置２００は前記施錠ブロック１２の位置を固定できる。
【００１５】
好ましくは、前記解錠装置３００は前記伝動チャンバ３４の中において前記ロックコア２９の頂端と固定的に連結された主軸３５が設置され、前記伝動チャンバ３４の頂壁の中にはベルトチャンバ２３が設置され、前記ベルトチャンバ２３の中には従軸２５が設置され、前記従軸２５と前記主軸３５とはヒンジで連結され、前記従軸２５のうち前記ベルトチャンバ２３に近寄った端の外壁には主プーリ２４が上下対称に設置され、前記ベルトチャンバ２３の中には解錠軸１９が左右対称に設置され、前記解錠軸１９のうち前記ベルトチャンバ２３に近寄った端には前記ベルトチャンバ２３の中に位置する従プーリ２２が設置され、前記従プーリ２２と前記主プーリ２４との間には第一ベルトが伝動可能に設置され、前記解錠軸１９のうち前記解錠チャンバ４６に近寄った端には前記解錠チャンバ４６の中に位置する回転盤１８が設置され、前記回転盤１８の頂壁と前記ロックブロック１４とは連結棒１７によってヒンジで連結され、
前記解錠装置３００は施錠具のロック状態を解除できる。  
【００１６】
好ましくは、前記収納装置１００は、前記収納チャンバ４４の中に設置され且つ前記糸巻輪４３と連結した収納軸４５を含み、前記収納軸４５の頂端には単方向冠歯車４２が設置され、前記加速チャンバ４８の中には上軸４０が設置され、前記上軸４０の底端にはセントラルギア３９が設置され、前記上軸４０の頂端には前記収納チャンバ４４の中に位置し且つ前記単方向冠歯車４２と噛み合った動力ギア４１が設置され、前記加速チャンバ４８の中には下軸３６が設置され、前記下軸３６の頂端にはリングギア３７が設置され、前記リングギア３７と前記セントラルギア３９との間には遊星ギア３８が伝動可能に設置され、前記下軸３６の底端には前記伝動チャンバ３４の中に位置する第二プーリ３３が設置され、前記第二プーリ３３と前記第一プーリ３１との間には第二ベルト３２が伝動可能に設置され、前記ロックコア２９の外壁には前記回転チャンバ３０の中に位置する回転可能の回転ブロック２８が設置され、前記回転ブロック２８の中には単方向チャンバ５３が設置され、前記ロックコア２９の外壁には前記単方向チャンバ５３の中に位置するつめ車５１が設置され、前記回転ブロック２８の内側壁の中には前記つめ車５１と当接したつめ５２が三組設置され、前記回転ブロック２８の左端には回転棒２７がレンジで連結され、前記回転棒２７の上端はハンドル２０がレンジで連結され、
前記収納装置１００は伸びてきた前記ロープ１１を再び前記糸巻輪４３に巻きつけられる。
【００１７】
当施錠具を施錠する時、使用者は施錠ブロック１２を施錠チャンバ４７の中に挿入し、ロックブロック１４は施錠ブロック１２と係着することで、当施錠具は施錠状態となり、
解錠する時には、キーをロックコア２９の中に挿入した後時計回りに回し、そして主軸３５、従軸２５、主プーリ２４、従プーリ２２と解錠軸１９によって回転盤１８を回転させ、さらに連結棒１７でロックブロック１４を連結棒に離れた側へスライドさせ、そしてロックブロック１４は施錠ブロック１２と離脱し、施錠ブロック１２は第二スプリング５０の弾性位置エネルギーによって施錠チャンバ４７と離れた側にスライドし、当施錠具は解錠状態となり、ロープ１１を収納する時には、使用者がハンドル２０を伸びだし、そして回転棒２７と回転ブロック２８は平行となり、ハンドル２０と回転棒２７は垂直となり、また、手でハンドル２０を回してロックコア２９の中軸線の周りを回転させ、そして第一プーリ３１、第二プーリ３３、下軸３６、リングギア３７、遊星ギア３８、セントラルギア３９、上軸４０、動力ギア４１、単方向冠歯車４２及び収納軸４５が糸巻輪４３を回転連動させることで、ロープ１１を糸巻輪４３の外壁に巻きつける。
【００１８】
本発明の有益的効果は：本発明はシンプルに構成し、簡単に操作とメンテナンスができ、また、当施錠具は長めのロープを収納可能であり、同時に複数の物体を施錠できるだけでなく、本体サイズが小さいため、簡単に製造でき、持ち運びやすいであり、よって、本発明には使用と普及する価値がある。
【００１９】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【図１】
2020180540.tif 000003
【図２】
2020180540.tif 000004
【図３】
2020180540.tif 000005
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
正面視で、本体を含み、前記本体の中には収納チャンバが設置され、前記収納チャンバの中には糸巻輪が設置され、前記糸巻輪の外側円弧面にはロープが巻き付いており、前記ロープの外端には施錠ブロックが連結され、前記収納チャンバの中には前記ロープを収納する収納装置が設置され、前記収納チャンバの左壁の中には施錠チャンバが設置され、前記施錠チャンバの左右両側の内壁の中には解錠チャンバが設置され、前記解錠チャンバの中には前記施錠ブロックを施錠する施錠装置が設置され、前記解錠チャンバの中には前記施錠装置を解錠する解錠装置が設置され、前記収納チャンバの底壁の中には加速チャンバが設置され、前記加速チャンバの底壁の中には伝動チャンバが設置され、前記伝動チャンバの底壁の中には回転チャンバが設置され、前記伝動チャンバの中には動力装置が設置され、前記動力装置は前記伝動チャンバの中に設置されたロックコアを含み、前記ロックコアの外壁には前記伝動チャンバの中に位置した第一プーリが設置され、前記動力装置は前記解錠装置によって、前記施錠装置を連動させて滑らせ、施錠具を解錠することができることを特徴とする可撓性施錠具。
【請求項２】
前記施錠装置は前記解錠チャンバの頂壁の中に設置されたロック溝を含み、前記ロック溝の中には前記施錠ブロックと係着可能のロックブロックがスライド可能に設置され、前記ロックブロックのうち前記施錠チャンバに離れた側の端面と、前記ロック溝のうち前記施錠チャンバに離れた側の内壁との間には第一スプリングが設置され、前記施錠チャンバの中には押さえ板がスライド可能に設置され、前記押さえ板と、前記施錠ブロックの下側端面と前記施錠チャンバの下側内壁との間には第二スプリングが設置され、
前記施錠装置は前記施錠ブロックの位置を固定できることを特徴とする請求項１に記載の可撓性施錠具。
【請求項３】
前記解錠装置は前記伝動チャンバの中において前記ロックコアの頂端と固定的に連結された主軸が設置され、前記伝動チャンバの頂壁の中にはベルトチャンバが設置され、前記ベルトチャンバの中には従軸が設置され、前記従軸と前記主軸とはヒンジで連結され、前記従軸のうち前記ベルトチャンバに近寄った端の外壁には主プーリが上下対称に設置され、前記ベルトチャンバの中には解錠軸が左右対称に設置され、前記解錠軸のうち前記ベルトチャンバに近寄った端には前記ベルトチャンバの中に位置する従プーリが設置され、前記従プーリと前記主プーリとの間には第一ベルトが伝動可能に設置され、前記解錠軸のうち前記解錠チャンバに近寄った端には前記解錠チャンバの中に位置する回転盤が設置され、前記回転盤の頂壁と前記ロックブロックとは連結棒によってヒンジで連結され、
前記解錠装置は施錠具のロック状態を解除できることを特徴とする請求項２に記載の可撓性施錠具。
【請求項４】
前記収納装置は、前記収納チャンバの中に設置され且つ前記糸巻輪と連結した収納軸を含み、前記収納軸の頂端には単方向冠歯車が設置され、前記加速チャンバの中には上軸が設置され、前記上軸の底端にはセントラルギアが設置され、前記上軸の頂端には前記収納チャンバの中に位置し且つ前記単方向冠歯車と噛み合った動力ギアが設置され、前記加速チャンバの中には下軸が設置され、前記下軸の頂端にはリングギアが設置され、前記リングギアと前記セントラルギアとの間には遊星ギアが伝動可能に設置され、前記下軸の底端には前記伝動チャンバの中に位置する第二プーリが設置され、前記第二プーリと前記第一プーリとの間には第二ベルトが伝動可能に設置され、前記ロックコアの外壁には前記回転チャンバの中に位置する回転可能の回転ブロックが設置され、前記回転ブロックの中には単方向チャンバが設置され、前記ロックコアの外壁には前記単方向チャンバの中に位置するつめ車が設置され、前記回転ブロックの内側壁の中には前記つめ車と当接したつめが三組設置され、前記回転ブロックの左端には回転棒がヒンジで連結され、前記回転棒の上端はハンドルがヒンジで連結され、
前記収納装置は伸びてきた前記ロープを再び前記糸巻輪に巻きつけられることを特徴とする請求項１に記載の可撓性施錠具。
【手続補正２】
【補正対象書類名】明細書
【補正対象項目名】全文
【補正方法】変更
【補正の内容】
【発明の詳細な説明】
【技術分野】
【０００１】
本発明は錠分野に関わるものであり、特に可撓性施錠具に関わるものである
【背景技術】
【０００２】
錠は生活において防盗や個人情報保護に欠かせない日用品であり、しかし、既存する施錠具は施錠範囲が施錠具のサイズによって制限され、また、施錠具は大きければ大きいほど、製造コストは上がるため、複数の物体に施錠することができない。よって、本発明では、一種の可撓性施錠具を提供する。
【先行技術文献】
【特許文献】
【０００３】
【特許文献１】中国特許出願公開第102605997号明細書
【発明の概要】
【発明が解決しようとする課題】
【０００４】
本発明は可撓性施錠具を提供し、既存技術にある上記の欠点を解消することを目的とする。
【課題を解決するための手段】
【０００５】
本発明の可撓性施錠具は、本体を含み、前記本体の中には収納チャンバが設置され、前記収納チャンバの中には糸巻輪が設置され、前記糸巻輪の外側円弧面にはロープが巻き付いており、前記ロープの外端には施錠ブロックが連結され、前記収納チャンバの中には前記ロープを収納する収納装置が設置され、前記収納チャンバの左壁の中には施錠チャンバが設置され、前記施錠チャンバの左右両側の内壁の中には解錠チャンバが設置され、前記解錠チャンバの中には前記施錠ブロックを施錠する施錠装置が設置され、前記解錠チャンバの中には前記施錠装置を解錠する解錠装置が設置され、前記収納チャンバの底壁の中には加速チャンバが設置され、前記加速チャンバの底壁の中には伝動チャンバが設置され、前記伝動チャンバの底壁の中には回転チャンバが設置され、前記伝動チャンバの中には動力装置が設置され、前記動力装置は前記伝動チャンバの中に設置されたロックコアを含み、前記ロックコアの外壁には前記伝動チャンバの中に位置した第一プーリが設置され、前記動力装置は前記解錠装置によって、前記施錠装置を連動させて滑らせ、施錠具を解錠することができる。
【０００６】
好ましくは、前記施錠装置は前記解錠チャンバの頂壁の中に設置されたロック溝を含み、前記ロック溝の中には前記施錠ブロックと係着可能のロックブロックがスライド可能に設置され、前記ロックブロックのうち前記施錠チャンバに離れた側の端面と、前記ロック溝のうち前記施錠チャンバに離れた側の内壁との間には第一スプリングが設置され、前記施錠チャンバの中には押さえ板がスライド可能に設置され、前記押さえ板と、前記施錠ブロックの下側端面と前記施錠チャンバの下側内壁との間には第二スプリングが設置され、
前記施錠装置は前記施錠ブロックの位置を固定できる。
【０００７】
好ましくは、前記解錠装置は前記伝動チャンバの中において前記ロックコアの頂端と固定的に連結された主軸が設置され、前記伝動チャンバの頂壁の中にはベルトチャンバが設置され、前記ベルトチャンバの中には従軸が設置され、前記従軸と前記主軸とはヒンジで連結され、前記従軸のうち前記ベルトチャンバに近寄った端の外壁には主プーリが上下対称に設置され、前記ベルトチャンバの中には解錠軸が左右対称に設置され、前記解錠軸のうち前記ベルトチャンバに近寄った端には前記ベルトチャンバの中に位置する従プーリが設置され、前記従プーリと前記主プーリとの間には第一ベルトが伝動可能に設置され、前記解錠軸のうち前記解錠チャンバに近寄った端には前記解錠チャンバの中に位置する回転盤が設置され、前記回転盤の頂壁と前記ロックブロックとは連結棒によってヒンジで連結され、
前記解錠装置は施錠具のロック状態を解除できる。
【０００８】
好ましくは、前記収納装置は、前記収納チャンバの中に設置され且つ前記糸巻輪と連結した収納軸を含み、前記収納軸の頂端には単方向冠歯車が設置され、前記加速チャンバの中には上軸が設置され、前記上軸の底端にはセントラルギアが設置され、前記上軸の頂端には前記収納チャンバの中に位置し且つ前記単方向冠歯車と噛み合った動力ギアが設置され、前記加速チャンバの中には下軸が設置され、前記下軸の頂端にはリングギアが設置され、前記リングギアと前記セントラルギアとの間には遊星ギアが伝動可能に設置され、前記下軸の底端には前記伝動チャンバの中に位置する第二プーリが設置され、前記第二プーリと前記第一プーリとの間には第二ベルトが伝動可能に設置され、前記ロックコアの外壁には前記回転チャンバの中に位置する回転可能の回転ブロックが設置され、前記回転ブロックの中には単方向チャンバが設置され、前記ロックコアの外壁には前記単方向チャンバの中に位置するつめ車が設置され、前記回転ブロックの内側壁の中には前記つめ車と当接したつめが三組設置され、前記回転ブロックの左端には回転棒がヒンジで連結され、前記回転棒の上端はハンドルがヒンジで連結され、
前記収納装置は伸びてきた前記ロープを再び前記糸巻輪に巻きつけられる。
【発明の効果】
【０００９】
本発明の有益的効果は：本発明はシンプルに構成し、簡単に操作とメンテナンスができ、また、当施錠具は長めのロープを収納可能であり、同時に複数の物体を施錠できるだけでなく、本体サイズが小さいため、簡単に製造でき、持ち運びやすいであり、よって、本発明には使用と普及する価値がある。
【図面の簡単な説明】
【００１０】
下記に図１〜３をあわせて本発明について詳しく説明し、また、便利に説明するために、下記の方向を以下のように規定する：図１は本発明装置の正面図であり、以下に述べる上下左右前後の方向と図１の自身投影関係の上下左右前後の方向とが一致である
【００１１】
【図１】図１は本発明の可撓性施錠具の施錠した状態の全体構成略図
【図２】図２は本発明の可撓性施錠具の解錠した状態の全体構成略図
【図３】図３は図１におけるＡ−Ａの構成略図
【発明を実施するための形態】
【００１２】
下記に図１〜３を交え、本発明について詳しく説明する。わかりやすく説明できるよう、ここで下記の方位に規定する：下記の上下左右前後方向は図本体の投影関係の上下左右前後の方向と一致する。
【００１３】
図１〜３を参照し、本発明の可撓性施錠具は、本体１３を含み、前記本体１３の中には収納チャンバ４４が設置され、前記収納チャンバ４４の中には糸巻輪４３が設置され、前記糸巻輪４３の外側円弧面にはロープ１１が巻き付いており、前記ロープ１１の外端には施錠ブロック１２が連結され、前記収納チャンバ４４の中には前記ロープ１１を収納する収納装置１００が設置され、前記収納チャンバ４４の左壁の中には施錠チャンバ４７が設置され、前記施錠チャンバ４７の左右両側の内壁の中には解錠チャンバ４６が設置され、前記解錠チャンバ４６の中には前記施錠ブロック１２を施錠する施錠装置２００が設置され、前記解錠チャンバ４６の中には前記施錠装置２００を解錠する解錠装置３００が設置され、前記収納チャンバ４４の底壁の中には加速チャンバ４８が設置され、前記加速チャンバ４８の底壁の中には伝動チャンバ３４が設置され、前記伝動チャンバ３４の底壁の中には回転チャンバ３０が設置され、前記伝動チャンバ３４の中には動力装置５００が設置され、前記動力装置５００は前記伝動チャンバ３４の中に設置されたロックコア２９を含み、前記ロックコア２９の外壁には前記伝動チャンバ３４の中に位置した第一プーリ３１が設置され、前記動力装置５００は前記解錠装置３００によって、前記施錠装置２００を連動させて滑らせ、施錠具を解錠することができる。
【００１４】
好ましくは、前記施錠装置２００は前記解錠チャンバ４６の頂壁の中に設置されたロック溝１５を含み、前記ロック溝１５の中には前記施錠ブロック１２と係着可能のロックブロック１４がスライド可能に設置され、前記ロックブロック１４のうち前記施錠チャンバ４７に離れた側の端面と、前記ロック溝１５のうち前記施錠チャンバ４７に離れた側の内壁との間には第一スプリング１６が設置され、前記施錠チャンバ４７の中には押さえ板４９がスライド可能に設置され、前記押さえ板４９と、前記施錠ブロック１２の下側端面と前記施錠チャンバ４７の下側内壁との間には第二スプリング５０が設置され、
前記施錠装置２００は前記施錠ブロック１２の位置を固定できる。
【００１５】
好ましくは、前記解錠装置３００は前記伝動チャンバ３４の中において前記ロックコア２９の頂端と固定的に連結された主軸３５が設置され、前記伝動チャンバ３４の頂壁の中にはベルトチャンバ２３が設置され、前記ベルトチャンバ２３の中には従軸２５が設置され、前記従軸２５と前記主軸３５とはヒンジで連結され、前記従軸２５のうち前記ベルトチャンバ２３に近寄った端の外壁には主プーリ２４が上下対称に設置され、前記ベルトチャンバ２３の中には解錠軸１９が左右対称に設置され、前記解錠軸１９のうち前記ベルトチャンバ２３に近寄った端には前記ベルトチャンバ２３の中に位置する従プーリ２２が設置され、前記従プーリ２２と前記主プーリ２４との間には第一ベルトが伝動可能に設置され、前記解錠軸１９のうち前記解錠チャンバ４６に近寄った端には前記解錠チャンバ４６の中に位置する回転盤１８が設置され、前記回転盤１８の頂壁と前記ロックブロック１４とは連結棒１７によってヒンジで連結され、
前記解錠装置３００は施錠具のロック状態を解除できる。  
【００１６】
好ましくは、前記収納装置１００は、前記収納チャンバ４４の中に設置され且つ前記糸巻輪４３と連結した収納軸４５を含み、前記収納軸４５の頂端には単方向冠歯車４２が設置され、前記加速チャンバ４８の中には上軸４０が設置され、前記上軸４０の底端にはセントラルギア３９が設置され、前記上軸４０の頂端には前記収納チャンバ４４の中に位置し且つ前記単方向冠歯車４２と噛み合った動力ギア４１が設置され、前記加速チャンバ４８の中には下軸３６が設置され、前記下軸３６の頂端にはリングギア３７が設置され、前記リングギア３７と前記セントラルギア３９との間には遊星ギア３８が伝動可能に設置され、前記下軸３６の底端には前記伝動チャンバ３４の中に位置する第二プーリ３３が設置され、前記第二プーリ３３と前記第一プーリ３１との間には第二ベルト３２が伝動可能に設置され、前記ロックコア２９の外壁には前記回転チャンバ３０の中に位置する回転可能の回転ブロック２８が設置され、前記回転ブロック２８の中には単方向チャンバ５３が設置され、前記ロックコア２９の外壁には前記単方向チャンバ５３の中に位置するつめ車５１が設置され、前記回転ブロック２８の内側壁の中には前記つめ車５１と当接したつめ５２が三組設置され、前記回転ブロック２８の左端には回転棒２７がヒンジで連結され、前記回転棒２７の上端はハンドル２０がヒンジで連結され、
前記収納装置１００は伸びてきた前記ロープ１１を再び前記糸巻輪４３に巻きつけられる。
【００１７】
当施錠具を施錠する時、使用者は施錠ブロック１２を施錠チャンバ４７の中に挿入し、ロックブロック１４は施錠ブロック１２と係着することで、当施錠具は施錠状態となり、解錠する時には、キーをロックコア２９の中に挿入した後時計回りに回し、そして主軸３５、従軸２５、主プーリ２４、従プーリ２２と解錠軸１９によって回転盤１８を回転させ、さらに連結棒１７でロックブロック１４を連結棒に離れた側へスライドさせ、そしてロックブロック１４は施錠ブロック１２と離脱し、施錠ブロック１２は第二スプリング５０の弾性位置エネルギーによって施錠チャンバ４７と離れた側にスライドし、当施錠具は解錠状態となり、ロープ１１を収納する時には、使用者がハンドル２０を伸びだし、そして回転棒２７と回転ブロック２８は平行となり、ハンドル２０と回転棒２７は垂直となり、また、手でハンドル２０を回してロックコア２９の中軸線の周りを回転させ、そして第一プーリ３１、第二プーリ３３、下軸３６、リングギア３７、遊星ギア３８、セントラルギア３９、上軸４０、動力ギア４１、単方向冠歯車４２及び収納軸４５が糸巻輪４３を回転連動させることで、ロープ１１を糸巻輪４３の外壁に巻きつける。
【００１８】
本発明の有益的効果は：本発明はシンプルに構成し、簡単に操作とメンテナンスができ、また、当施錠具は長めのロープを収納可能であり、同時に複数の物体を施錠できるだけでなく、本体サイズが小さいため、簡単に製造でき、持ち運びやすいであり、よって、本発明には使用と普及する価値がある。
【００１９】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
正面視で、本体を含み、前記本体の中には収納チャンバが設置され、前記収納チャンバの中には糸巻輪が設置され、前記糸巻輪の外側円弧面にはロープが巻き付いており、前記ロープの外端には施錠ブロックが連結され、前記収納チャンバの中には前記ロープを収納する収納装置が設置され、前記収納チャンバの左壁の中には施錠チャンバが設置され、前記施錠チャンバの左右両側の内壁の中には解錠チャンバが設置され、前記解錠チャンバの中には前記施錠ブロックを施錠する施錠装置が設置され、前記解錠チャンバの中には前記施錠装置を解錠する解錠装置が設置され、前記収納チャンバの底壁の中には加速チャンバが設置され、前記加速チャンバの底壁の中には伝動チャンバが設置され、前記伝動チャンバの底壁の中には回転チャンバが設置され、前記伝動チャンバの中には動力装置が設置され、前記動力装置は前記伝動チャンバの中に設置されたロックコアを含み、前記ロックコアの外壁には前記伝動チャンバの中に位置した第一プーリが設置され、前記動力装置は前記解錠装置によって、前記施錠装置を連動させて滑らせ、施錠具を解錠することができることを特徴とする可撓性施錠具。
【請求項２】
前記施錠装置は前記解錠チャンバの頂壁の中に設置されたロック溝を含み、前記ロック溝の中には前記施錠ブロックと係着可能のロックブロックがスライド可能に設置され、前記ロックブロックのうち前記施錠チャンバに離れた側の端面と、前記ロック溝のうち前記施錠チャンバに離れた側の内壁との間には第一スプリングが設置され、前記施錠チャンバの中には押さえ板がスライド可能に設置され、前記押さえ板と前記施錠チャンバの下側内壁との間には第二スプリングが設置され、
前記施錠装置は前記施錠ブロックの位置を固定できることを特徴とする請求項１に記載の可撓性施錠具。
【請求項３】
前記解錠装置は前記伝動チャンバの中において前記ロックコアの頂端と固定的に連結された主軸が設置され、前記伝動チャンバの頂壁の中にはベルトチャンバが設置され、前記ベルトチャンバの中には従軸が設置され、前記従軸と前記主軸とはヒンジで連結され、前記従軸のうち前記ベルトチャンバに近寄った端の外壁には主プーリが上下対称に設置され、前記ベルトチャンバの中には解錠軸が左右対称に設置され、前記解錠軸のうち前記ベルトチャンバに近寄った端には前記ベルトチャンバの中に位置する従プーリが設置され、前記従プーリと前記主プーリとの間には第一ベルトが伝動可能に設置され、前記解錠軸のうち前記解錠チャンバに近寄った端には前記解錠チャンバの中に位置する回転盤が設置され、前記回転盤の頂壁と前記ロックブロックとは連結棒によってヒンジで連結され、
前記解錠装置は施錠具のロック状態を解除できることを特徴とする請求項２に記載の可撓性施錠具。
【請求項４】
前記収納装置は、前記収納チャンバの中に設置され且つ前記糸巻輪と連結した収納軸を含み、前記収納軸の頂端には単方向冠歯車が設置され、前記加速チャンバの中には上軸が設置され、前記上軸の底端にはセントラルギアが設置され、前記上軸の頂端には前記収納チャンバの中に位置し且つ前記単方向冠歯車と噛み合った動力ギアが設置され、前記加速チャンバの中には下軸が設置され、前記下軸の頂端にはリングギアが設置され、前記リングギアと前記セントラルギアとの間には遊星ギアが伝動可能に設置され、前記下軸の底端には前記伝動チャンバの中に位置する第二プーリが設置され、前記第二プーリと前記第一プーリとの間には第二ベルトが伝動可能に設置され、前記ロックコアの外壁には前記回転チャンバの中に位置する回転可能の回転ブロックが設置され、前記回転ブロックの中には単方向チャンバが設置され、前記ロックコアの外壁には前記単方向チャンバの中に位置するつめ車が設置され、前記回転ブロックの内側壁の中には前記つめ車と当接したつめが三組設置され、前記回転ブロックの左端には回転棒がヒンジで連結され、前記回転棒の上端はハンドルがヒンジで連結され、
前記収納装置は伸びてきた前記ロープを再び前記糸巻輪に巻きつけられることを特徴とする請求項１に記載の可撓性施錠具。
【手続補正２】
【補正対象書類名】明細書
【補正対象項目名】全文
【補正方法】変更
【補正の内容】
【発明の詳細な説明】
【技術分野】
【０００１】
本発明は錠分野に関わるものであり、特に可撓性施錠具に関わるものである
【背景技術】
【０００２】
錠は生活において防盗や個人情報保護に欠かせない日用品であり、しかし、既存する施錠具は施錠範囲が施錠具のサイズによって制限され、また、施錠具は大きければ大きいほど、製造コストは上がるため、複数の物体に施錠することができない。よって、本発明では、一種の可撓性施錠具を提供する。
【先行技術文献】
【特許文献】
【０００３】
【特許文献１】中国特許出願公開第102605997号明細書
【発明の概要】
【発明が解決しようとする課題】
【０００４】
本発明は可撓性施錠具を提供し、既存技術にある上記の欠点を解消することを目的とする。
【課題を解決するための手段】
【０００５】
本発明の可撓性施錠具は、本体を含み、前記本体の中には収納チャンバが設置され、前記収納チャンバの中には糸巻輪が設置され、前記糸巻輪の外側円弧面にはロープが巻き付いており、前記ロープの外端には施錠ブロックが連結され、前記収納チャンバの中には前記ロープを収納する収納装置が設置され、前記収納チャンバの左壁の中には施錠チャンバが設置され、前記施錠チャンバの左右両側の内壁の中には解錠チャンバが設置され、前記解錠チャンバの中には前記施錠ブロックを施錠する施錠装置が設置され、前記解錠チャンバの中には前記施錠装置を解錠する解錠装置が設置され、前記収納チャンバの底壁の中には加速チャンバが設置され、前記加速チャンバの底壁の中には伝動チャンバが設置され、前記伝動チャンバの底壁の中には回転チャンバが設置され、前記伝動チャンバの中には動力装置が設置され、前記動力装置は前記伝動チャンバの中に設置されたロックコアを含み、前記ロックコアの外壁には前記伝動チャンバの中に位置した第一プーリが設置され、前記動力装置は前記解錠装置によって、前記施錠装置を連動させて滑らせ、施錠具を解錠することができる。
【０００６】
好ましくは、前記施錠装置は前記解錠チャンバの頂壁の中に設置されたロック溝を含み、前記ロック溝の中には前記施錠ブロックと係着可能のロックブロックがスライド可能に設置され、前記ロックブロックのうち前記施錠チャンバに離れた側の端面と、前記ロック溝のうち前記施錠チャンバに離れた側の内壁との間には第一スプリングが設置され、前記施錠チャンバの中には押さえ板がスライド可能に設置され、前記押さえ板と前記施錠チャンバの下側内壁との間には第二スプリングが設置され、
前記施錠装置は前記施錠ブロックの位置を固定できる。
【０００７】
好ましくは、前記解錠装置は前記伝動チャンバの中において前記ロックコアの頂端と固定的に連結された主軸が設置され、前記伝動チャンバの頂壁の中にはベルトチャンバが設置され、前記ベルトチャンバの中には従軸が設置され、前記従軸と前記主軸とはヒンジで連結され、前記従軸のうち前記ベルトチャンバに近寄った端の外壁には主プーリが上下対称に設置され、前記ベルトチャンバの中には解錠軸が左右対称に設置され、前記解錠軸のうち前記ベルトチャンバに近寄った端には前記ベルトチャンバの中に位置する従プーリが設置され、前記従プーリと前記主プーリとの間には第一ベルトが伝動可能に設置され、前記解錠軸のうち前記解錠チャンバに近寄った端には前記解錠チャンバの中に位置する回転盤が設置され、前記回転盤の頂壁と前記ロックブロックとは連結棒によってヒンジで連結され、
前記解錠装置は施錠具のロック状態を解除できる。
【０００８】
好ましくは、前記収納装置は、前記収納チャンバの中に設置され且つ前記糸巻輪と連結した収納軸を含み、前記収納軸の頂端には単方向冠歯車が設置され、前記加速チャンバの中には上軸が設置され、前記上軸の底端にはセントラルギアが設置され、前記上軸の頂端には前記収納チャンバの中に位置し且つ前記単方向冠歯車と噛み合った動力ギアが設置され、前記加速チャンバの中には下軸が設置され、前記下軸の頂端にはリングギアが設置され、前記リングギアと前記セントラルギアとの間には遊星ギアが伝動可能に設置され、前記下軸の底端には前記伝動チャンバの中に位置する第二プーリが設置され、前記第二プーリと前記第一プーリとの間には第二ベルトが伝動可能に設置され、前記ロックコアの外壁には前記回転チャンバの中に位置する回転可能の回転ブロックが設置され、前記回転ブロックの中には単方向チャンバが設置され、前記ロックコアの外壁には前記単方向チャンバの中に位置するつめ車が設置され、前記回転ブロックの内側壁の中には前記つめ車と当接したつめが三組設置され、前記回転ブロックの左端には回転棒がヒンジで連結され、前記回転棒の上端はハンドルがヒンジで連結され、
前記収納装置は伸びてきた前記ロープを再び前記糸巻輪に巻きつけられる。
【発明の効果】
【０００９】
本発明の有益的効果は：本発明はシンプルに構成し、簡単に操作とメンテナンスができ、また、当施錠具は長めのロープを収納可能であり、同時に複数の物体を施錠できるだけでなく、本体サイズが小さいため、簡単に製造でき、持ち運びやすいであり、よって、本発明には使用と普及する価値がある。
【図面の簡単な説明】
【００１０】
下記に図１〜３をあわせて本発明について詳しく説明し、また、便利に説明するために、下記の方向を以下のように規定する：図１は本発明装置の正面図であり、以下に述べる上下左右前後の方向と図１の自身投影関係の上下左右前後の方向とが一致である
【００１１】
【図１】図１は本発明の可撓性施錠具の施錠した状態の全体構成略図
【図２】図２は本発明の可撓性施錠具の解錠した状態の全体構成略図
【図３】図３は図１におけるＡ−Ａの構成略図
【発明を実施するための形態】
【００１２】
下記に図１〜３を交え、本発明について詳しく説明する。わかりやすく説明できるよう、ここで下記の方位に規定する：下記の上下左右前後方向は図本体の投影関係の上下左右前後の方向と一致する。
【００１３】
図１〜３を参照し、本発明の可撓性施錠具は、本体１３を含み、前記本体１３の中には収納チャンバ４４が設置され、前記収納チャンバ４４の中には糸巻輪４３が設置され、前記糸巻輪４３の外側円弧面にはロープ１１が巻き付いており、前記ロープ１１の外端には施錠ブロック１２が連結され、前記収納チャンバ４４の中には前記ロープ１１を収納する収納装置１００が設置され、前記収納チャンバ４４の左壁の中には施錠チャンバ４７が設置され、前記施錠チャンバ４７の左右両側の内壁の中には解錠チャンバ４６が設置され、前記解錠チャンバ４６の中には前記施錠ブロック１２を施錠する施錠装置２００が設置され、前記解錠チャンバ４６の中には前記施錠装置２００を解錠する解錠装置３００が設置され、前記収納チャンバ４４の底壁の中には加速チャンバ４８が設置され、前記加速チャンバ４８の底壁の中には伝動チャンバ３４が設置され、前記伝動チャンバ３４の底壁の中には回転チャンバ３０が設置され、前記伝動チャンバ３４の中には動力装置５００が設置され、前記動力装置５００は前記伝動チャンバ３４の中に設置されたロックコア２９を含み、前記ロックコア２９の外壁には前記伝動チャンバ３４の中に位置した第一プーリ３１が設置され、前記動力装置５００は前記解錠装置３００によって、前記施錠装置２００を連動させて滑らせ、施錠具を解錠することができる。
【００１４】
好ましくは、前記施錠装置２００は前記解錠チャンバ４６の頂壁の中に設置されたロック溝１５を含み、前記ロック溝１５の中には前記施錠ブロック１２と係着可能のロックブロック１４がスライド可能に設置され、前記ロックブロック１４のうち前記施錠チャンバ４７に離れた側の端面と、前記ロック溝１５のうち前記施錠チャンバ４７に離れた側の内壁との間には第一スプリング１６が設置され、前記施錠チャンバ４７の中には押さえ板４９がスライド可能に設置され、前記押さえ板４９と、前記押さえ板４９と前記施錠チャンバ４７の下側内壁との間には第二スプリング５０が設置され、前記施錠装置２００は前記施錠ブロック１２の位置を固定できる。
【００１５】
好ましくは、前記解錠装置３００は前記伝動チャンバ３４の中において前記ロックコア２９の頂端と固定的に連結された主軸３５が設置され、前記伝動チャンバ３４の頂壁の中にはベルトチャンバ２３が設置され、前記ベルトチャンバ２３の中には従軸２５が設置され、前記従軸２５と前記主軸３５とはヒンジで連結され、前記従軸２５のうち前記ベルトチャンバ２３に近寄った端の外壁には主プーリ２４が上下対称に設置され、前記ベルトチャンバ２３の中には解錠軸１９が左右対称に設置され、前記解錠軸１９のうち前記ベルトチャンバ２３に近寄った端には前記ベルトチャンバ２３の中に位置する従プーリ２２が設置され、前記従プーリ２２と前記主プーリ２４との間には第一ベルトが伝動可能に設置され、前記解錠軸１９のうち前記解錠チャンバ４６に近寄った端には前記解錠チャンバ４６の中に位置する回転盤１８が設置され、前記回転盤１８の頂壁と前記ロックブロック１４とは連結棒１７によってヒンジで連結され、
前記解錠装置３００は施錠具のロック状態を解除できる。  
【００１６】
好ましくは、前記収納装置１００は、前記収納チャンバ４４の中に設置され且つ前記糸巻輪４３と連結した収納軸４５を含み、前記収納軸４５の頂端には単方向冠歯車４２が設置され、前記加速チャンバ４８の中には上軸４０が設置され、前記上軸４０の底端にはセントラルギア３９が設置され、前記上軸４０の頂端には前記収納チャンバ４４の中に位置し且つ前記単方向冠歯車４２と噛み合った動力ギア４１が設置され、前記加速チャンバ４８の中には下軸３６が設置され、前記下軸３６の頂端にはリングギア３７が設置され、前記リングギア３７と前記セントラルギア３９との間には遊星ギア３８が伝動可能に設置され、前記下軸３６の底端には前記伝動チャンバ３４の中に位置する第二プーリ３３が設置され、前記第二プーリ３３と前記第一プーリ３１との間には第二ベルト３２が伝動可能に設置され、前記ロックコア２９の外壁には前記回転チャンバ３０の中に位置する回転可能の回転ブロック２８が設置され、前記回転ブロック２８の中には単方向チャンバ５３が設置され、前記ロックコア２９の外壁には前記単方向チャンバ５３の中に位置するつめ車５１が設置され、前記回転ブロック２８の内側壁の中には前記つめ車５１と当接したつめ５２が三組設置され、前記回転ブロック２８の左端には回転棒２７がヒンジで連結され、前記回転棒２７の上端はハンドル２０がヒンジで連結され、
前記収納装置１００は伸びてきた前記ロープ１１を再び前記糸巻輪４３に巻きつけられる。
【００１７】
当施錠具を施錠する時、使用者は施錠ブロック１２を施錠チャンバ４７の中に挿入し、ロックブロック１４は施錠ブロック１２と係着することで、当施錠具は施錠状態となり、解錠する時には、キーをロックコア２９の中に挿入した後時計回りに回し、そして主軸３５、従軸２５、主プーリ２４、従プーリ２２と解錠軸１９によって回転盤１８を回転させ、さらに連結棒１７でロックブロック１４を連結棒に離れた側へスライドさせ、そしてロックブロック１４は施錠ブロック１２と離脱し、施錠ブロック１２は第二スプリング５０の弾性位置エネルギーによって施錠チャンバ４７と離れた側にスライドし、当施錠具は解錠状態となり、ロープ１１を収納する時には、使用者がハンドル２０を伸びだし、そして回転棒２７と回転ブロック２８は平行となり、ハンドル２０と回転棒２７は垂直となり、また、手でハンドル２０を回してロックコア２９の中軸線の周りを回転させ、そして第一プーリ３１、第二プーリ３３、下軸３６、リングギア３７、遊星ギア３８、セントラルギア３９、上軸４０、動力ギア４１、単方向冠歯車４２及び収納軸４５が糸巻輪４３を回転連動させることで、ロープ１１を糸巻輪４３の外壁に巻きつける。
【００１８】
本発明の有益的効果は：本発明はシンプルに構成し、簡単に操作とメンテナンスができ、また、当施錠具は長めのロープを収納可能であり、同時に複数の物体を施錠できるだけでなく、本体サイズが小さいため、簡単に製造でき、持ち運びやすいであり、よって、本発明には使用と普及する価値がある。
【００１９】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。